(57)【要約】【課題】コンプモータをドア操作装置の運転状態に影響されることなく安定的に運転開始すること。【解決手段】ドア操作装置の電磁ソレノイドが運転されている運転中にコンプレッサを運転開始することが判断されたときにはドア操作装置の電磁ソレノイドが運転停止することを待って起動指令を出力し、コンプモータが電磁ソレノイドの運転中に起動指令に応じて運転開始されることを禁止した。このため、コンプモータが電圧降下の発生状態で運転開始されることがなくなるので、コンプモータをドア操作装置の運転状態に影響されることなく安定的に運転開始することができる。【選択図】図７
2009127955.tif 000002
【特許請求の範囲】
【請求項１】
前面が開口する貯蔵室と、
前記貯蔵室の前面を閉鎖する閉鎖状態および前記貯蔵室の前面を開放する開放状態相互間で移動可能に設けられたドアと、
電気的な駆動源を有するものであって、前記貯蔵室内を冷却するための冷気を生成するエバポレータに冷媒を送るコンプレッサと、
電気的な駆動源を有するものであって、前記エバポレータが生成する冷気を前記貯蔵室内に送るファン装置と、
電気的な駆動源を有するものであって、前記ドアの閉鎖状態で作動することに基づいて前記ドアを前記閉鎖状態から前記開放状態に向けて操作するドア操作装置と、
使用者が操作することが可能な操作子と、
前記貯蔵室内の温度に基づいて前記コンプレッサを運転開始するか否かを判断する処理および前記操作子の操作内容に基づいて前記ドア操作装置を運転開始するか否かを判断する処理のそれぞれを行うものであって、前記コンプレッサを運転開始することを判断したときには前記コンプレッサの駆動源を予め決められたパターンで運転するための起動信号を出力し、前記ドア操作装置を運転開始することを判断したときには前記ドア操作装置の駆動源を予め決められたパターンで運転するためのドア操作信号を出力する制御回路を備え、
前記制御回路は、前記ドア操作装置の駆動源が前記ドア操作信号に応じて運転されている運転中には前記コンプレッサの駆動源が前記起動信号に応じて運転開始されることを禁止する処理または前記コンプレッサの駆動源が前記起動信号に応じて運転されている運転中には前記ドア操作装置の駆動源が前記ドア操作信号に応じて運転開始されることを禁止する処理を行うものであることを特徴とする冷蔵庫。
【請求項２】
前記制御回路は、前記ドア操作装置の駆動源が前記ドア操作信号に応じて運転されている運転中に前記コンプレッサを運転開始することを判断したときには前記ドア操作装置の駆動源が運転停止することを待って前記起動信号を出力する処理を行うものであることを特徴とする請求項１に記載の冷蔵庫。
【請求項３】
前記制御回路は、前記ファン装置の運転停止状態で前記ドア操作信号を出力したときには前記ファン装置の駆動源を運転開始することに基づいて前記ファン装置を運転停止状態から運転状態にする処理を行うものであることを特徴とする請求項１〜２のいずれかに記載の冷蔵庫。
【発明の詳細な説明】
【技術分野】
【０００１】
本発明は貯蔵室のドアを閉鎖状態から開放状態に向けて操作するドア操作装置を備えた冷蔵庫に関する。
【背景技術】
【０００２】
上記冷蔵庫には貯蔵室内の温度に基づいてコンプレッサを運転開始するか否かを判断し、コンプレッサを運転開始することを判断したときには起動信号を出力する構成のものがある。この起動信号はコンプレッサの駆動源を予め決められたパターンで運転するためのものであり、コンプレッサの駆動源は起動信号に応じたパターンで運転された後に定常状態で運転される。この冷蔵庫にはドアの閉鎖状態で操作子が有効に操作されることに基づいてドア操作信号を出力する構成のものがある。このドア操作信号はドア操作装置の駆動源を予め決められたパターンで運転するためのものであり、ドア操作装置は駆動源がドア操作信号に応じたパターンで運転されることに基づいてドアを閉鎖状態から開放状態に向けて操作する。
【特許文献１】特開２００５−２１４４９０号公報
【特許文献２】特開２００４−２８６３１１号公報
【発明の開示】
【発明が解決しようとする課題】
【０００３】
上記冷蔵庫の場合にはコンプレッサの駆動源が起動信号に応じて運転されている運転中およびドア操作装置の駆動源がドア操作信号に応じて運転されている運転中のそれぞれで電圧降下が発生するので、例えばドア操作装置の駆動源がドア操作信号に応じて運転されている運転中に起動信号が出力されたときにはコンプレッサの駆動源を起動信号に応じて運転するのに必要な電圧が得られず、コンプレッサの駆動源を運転開始することに失敗する虞がある。
【０００４】
本発明は上記事情に鑑みてなされたものであり、コンプレッサの駆動源をドア操作装置の運転状態に影響されることなく安定的に運転開始またはドア操作装置の駆動源をコンプレッサの運転状態に影響されることなく安定的に運転開始することができる冷蔵庫を提供することを目的とするものである。
【課題を解決するための手段】
【０００５】
本発明の冷蔵庫は、前面が開口する貯蔵室と、前記貯蔵室の前面を閉鎖する閉鎖状態および前記貯蔵室の前面を開放する開放状態相互間で移動可能に設けられたドアと、電気的な駆動源を有するものであって前記貯蔵室内を冷却するための冷気を生成するエバポレータに冷媒を送るコンプレッサと、電気的な駆動源を有するものであって前記エバポレータが生成する冷気を前記貯蔵室内に送るファン装置と、電気的な駆動源を有するものであって前記ドアの閉鎖状態で作動することに基づいて前記ドアを前記閉鎖状態から前記開放状態に向けて操作するドア操作装置と、使用者が操作することが可能な操作子と、前記貯蔵室内の温度に基づいて前記コンプレッサを運転開始するか否かを判断する処理および前記操作子の操作内容に基づいて前記ドア操作装置を運転開始するか否かを判断する処理のそれぞれを行うものであって前記コンプレッサを運転開始することを判断したときには前記コンプレッサの駆動源を予め決められたパターンで運転するための起動信号を出力し前記ドア操作装置を運転開始することを判断したときには前記ドア操作装置の駆動源を予め決められたパターンで運転するためのドア操作信号を出力する制御回路を備え、前記制御回路は前記ドア操作装置の駆動源が前記ドア操作信号に応じて運転されている運転中に前記コンプレッサの駆動源が前記起動信号に応じて運転開始されることを禁止する処理または前記コンプレッサの駆動源が前記起動信号に応じて運転されている運転中に前記ドア操作装置の駆動源が前記ドア操作信号に応じて運転開始されることを禁止する処理を行うものであるところに特徴を有する。
【発明の効果】
【０００６】
ドア操作装置の駆動源がドア操作信号に応じて運転されている運転中にはコンプレッサの駆動源が起動信号に応じて運転開始されることが禁止される。このため、コンプレッサの駆動源が電圧降下の発生状態で運転開始されることがなくなるので、コンプレッサの駆動源をドア操作装置の運転状態に影響されることなく安定的に運転開始することができる。または、コンプレッサの駆動源が起動信号に応じて運転されている運転中にはドア操作装置の駆動源がドア操作信号に応じて運転開始されることが禁止される。このため、ドア操作装置の駆動源が電圧降下の発生状態で運転開始されることがなくなるので、ドア操作装置の駆動源をコンプレッサの運転状態に影響されることなく安定的に運転開始することができる。
【発明を実施するための最良の形態】
【０００７】
［実施例１］
キャビネット１は、図１に示すように、前面が開口する縦長な長方形状をなすものであり、底板と左側板と右側板と天板と後板を有している。このキャビネット１は外箱の内部に内箱を収納し、外箱および内箱相互間の隙間に断熱材を充填することから構成されたものであり、キャビネット１の内部には水平な断熱仕切壁２が固定されている。この断熱仕切壁２は中空状のケース内に固形状の断熱材を収納することから構成されたものであり、キャビネット１の内部には断熱仕切壁２の上方に位置して冷蔵室３が形成されている。この冷蔵室３の室壁には冷気吹出口が固定されており、冷蔵室３内は冷気吹出口から冷気が供給されることに基づいて食品を冷蔵保存することが可能な冷蔵温度帯域にコントロールされる。
【０００８】
キャビネット１には、図２に示すように、冷蔵室３の前方に位置して左ドア４および右ドア５のそれぞれが装着されている。左ドア４は冷蔵室３の前面のうち左半部を閉鎖する閉鎖状態および左半部を開放する開放状態相互間で垂直な軸６を中心に回動可能にされたものであり、右ドア５は冷蔵室３の前面のうち右半部を閉鎖する閉鎖状態および右半部を開放する開放状態相互間で垂直な軸７を中心に回動可能にされたものである。
【０００９】
キャビネット１の内部には、図１に示すように、断熱仕切壁２の下方に位置して冷凍エリアが形成されている。この冷凍エリアは前面が開口する空間部を称するものであり、キャビネット１の内部には、図３に示すように、冷凍エリア内に位置して前板８が固定されている。この前板８は左右方向へ延びる垂直な板状をなすものであり、前板８の後面には前板８に沿って左右方向へ延びる前枠９が固定され、冷凍エリア内は、図２に示すように、前枠９の下方の下冷凍室１０と前枠９の左上方の製氷室１１と前枠９の右上方の上冷凍室１２に区分けされている。この下冷凍室１０は貯蔵室に相当するものである。
【００１０】
キャビネット１には、図１に示すように、下冷凍室１０の前方に位置してドアに相当する下スライドドア１３が装着されている。この下スライドドア１３は下冷凍室１０の前面を閉鎖する閉鎖状態および下冷凍室１０の前面を開放する開放状態相互間で前後方向へ直線的に移動可能にされたものであり、下スライドドア１３の後面には下スライドドア１３を取囲む枠状のビード１４が形成されている。この下スライドドア１３には、図２に示すように、ドアボタン１５が装着されている。このドアボタン１５は使用者が前方から操作可能なものであり、初期位置および初期位置より後方の押込み位置相互間で前後方向へ直線的に移動可能にされている。このドアボタン１５は操作子に相当するものであり、ドアボタン１５には永久磁石が連結されている。この永久磁石は下スライドドア１３の内部に収納されたものであり、前枠９の前方に配置されている。
【００１１】
キャビネット１には、図２に示すように、製氷室１１の前方に位置して左スライドドア１６が装着され、上冷凍室１２の前方に位置して右スライドドア１７が装着されている。これら左スライドドア１６および右スライドドア１７のそれぞれは前後方向へ直線的に移動可能にされたものであり、製氷室１１の前面は左スライドドア１６が前後方向へ直線的に移動操作されることに基づいて開閉され、上冷凍室１２の前面は右スライドドア１７が前後方向へ直線的に移動操作されることに基づいて開閉される。
【００１２】
下スライドドア１３と左スライドドア１６と右スライドドア１７のそれぞれの後面には、図３に示すように、ゴム製のガスケット１８が固定されている。下スライドドア１３のガスケット１８は下スライドドア１３を取囲む枠状をなすものであり、下スライドドア１３の閉鎖状態で下冷凍室１０の室壁に前方から接触する。左スライドドア１６のガスケット１８は左スライドドア１６を取囲む枠状をなすものであり、左スライドドア１６の閉鎖状態で製氷室１１の室壁に前方から接触する。右スライドドア１７のガスケット１８は右スライドドア１７を取囲む枠状をなすものであり、右スライドドア１７の閉鎖状態で上冷凍室１２の室壁に前方から接触する。
【００１３】
キャビネット１には、図１に示すように、冷凍エリア内に位置して冷気ダクト１９が固定されており、冷気ダクト１９には下冷凍室１０内に位置して冷気入口２０が形成され、下冷凍室１０内と製氷室１１内と上冷凍室１２内のそれぞれに位置して複数の冷気出口２１が形成されている。この冷気ダクト１９内にはファン装置２２が収納されている。このファン装置２２はファンモータ２３の回転軸にファン２４を連結することから構成されたものであり、ファンモータ２３の運転時には冷凍エリア内の空気が冷気入口２０から冷気ダクト１９内に吸引され、下冷凍室１０の複数の冷気出口２１と製氷室１１の複数の冷気出口２１と冷凍室１２の複数の冷気出口２１のそれぞれから吐出される。このファンモータ２３はファン装置２２の駆動源に相当するものである。
【００１４】
冷気ダクト１９内には、図１に示すように、冷凍サイクルのエバポレータ２５が収納されている。このエバポレータ２５はファン装置２２が冷気入口２０から冷気ダクト１９内に吸引した空気を冷気ダクト１９内で冷却するものであり、下冷凍室１０〜冷凍室１２のそれぞれはエバポレータ２５が冷却した空気が冷気出口２１から吐出されることに基づいて食品を冷凍保存することが可能な冷凍温度帯域（＜冷蔵温度帯域）にコントロールされる。
【００１５】
キャビネット１には、図１に示すように、下端部に位置して機械室２６が形成されている。この機械室２６は冷蔵室３と下冷凍室１０と製氷室１１と上冷凍室１２のそれぞれの外部に配置されたものであり、機械室２６内には冷凍サイクルのコンプレッサ２７が固定されている。このコンプレッサ２７はコンプモータ２８を駆動源として内蔵するものであり、コンプモータ２８は速度制御可能なＤＣブラシレスモータから構成されている。このコンプモータ２８は速度センサを有するものであり、コンプレッサ２７はコンプモータ２８のオン状態でエバポレータ２５に冷媒を循環させる運転状態になり、コンプモータ２８のオフ状態でエバポレータ２５に冷媒を循環させない運転停止状態になる。
【００１６】
前枠９には、図３に示すように、水平な板状のベース２９が固定されており、ベース２９にはドア操作装置３０が固定されている。このドア操作装置３０は電磁ソレノイド３１を駆動源とするものであり、次のように構成されている。ベース２９にはボックス３２が固定されており、ボックス３２の内部には電磁ソレノイド３１が収納されている。この電磁ソレノイド３１はソレノイドコイル３３およびプランジャ３４を有するものである。ソレノイドコイル３３はボックス３２の内部に移動不能に固定されたものであり、前面および後面のそれぞれが開口する円筒状をなしている。プランジャ３４はソレノイドコイル３３の内部に前後方向へ直線的に移動可能に挿入されたものであり、前後方向へ延びる円柱状をなしている。
【００１７】
プランジャ３４の後端部には、図３に示すように、鍔部３５が固定されている。この鍔部３５はプランジャ３４に比べて直径寸法が大きな円板状をなすものであり、プランジャ３４の外周面には鍔部３５およびソレノイドコイル３３相互間に位置してリターンスプリング３６が挿入されている。このリターンスプリング３６は圧縮コイルスプリングからなるものであり、プランジャ３４はソレノイドコイル３３のオフ状態で鍔部３５がボックス３２の後板に接触した後退位置にリターンスプリング３６のバネ力で操作され、ソレノイドコイル３３のオン状態でリターンスプリング３６の線材相互間が接触した前進位置にリターンスプリング３６のバネ力に抗して操作される。
【００１８】
プランジャ３４には、図３に示すように、前後方向へ延びるロッド３７が固定されている。このロッド３７はプランジャ３４に対して同心な円柱状をなすものであり、ロッド３７の前端部には前後方向へ延びる板状のアーム３８の後端部が固定されている。このアーム３８の前端部には垂直な板状のプッシャ３９が曲折されている。このプッシャ３９はソレノイドコイル３３のオフ状態でプランジャ３４を介して後退位置に操作されるものであり、プッシャ３９の後退位置ではプッシャ３９が下スライドドア１３のビード１４の後面に隙間を介して対向する。このプッシャ３９はソレノイドコイル３３のオン状態でプランジャ３４を介して前進位置に操作されるものであり、プッシャ３９が下スライドドア１３の閉鎖状態で後退位置から前進位置へ移動したときにはビード１４の後面を後から前に向けて押圧することに基づいて下スライドドア１３を閉鎖状態から前方へ移動操作する。ドア操作装置３０は以上のように構成されている。
【００１９】
キャビネット１の機械室２６内には、図４に示すように、マイクロコンピュータを主体に構成された制御回路４０が収納されている。この制御回路４０はＣＰＵとＲＯＭとＲＡＭを有するものであり、制御回路４０にはドアスイッチ４１およびドア開放スイッチ４２のそれぞれが接続されている。ドアスイッチ４１は下スライドドア１３が閉鎖状態に操作されている場合にオンされるプッシュスイッチからなるものであり、下スライドドア１３が閉鎖状態に操作されていない場合にはオフされる。ドア開放スイッチ４２は前枠９の内部にドアボタン１５の永久磁石の後方に位置して収納されたホールＩＣからなるものであり、下スライドドア１３のドアボタン１５が押込み位置に操作されていない状態では永久磁石からの磁力を受けずにオフされ、ドアボタン１５が初期位置から押込み位置に操作されることに基づいて永久磁石からの磁力を受けてオンされる。
【００２０】
制御回路４０には、図４に示すように、ソレノイド駆動回路４３が接続されている。このソレノイド駆動回路４２はソレノイドコイル３３に駆動電源を印加するものであり、制御回路４０はドアスイッチ４１のオン状態でドア開放スイッチ４２がオンされたことを判断することに基づいてソレノイド駆動回路４３を駆動し、ソレノイドコイル３３をオンすることに基づいてドア操作装置３０を作動させる。即ち、ドア操作装置３０のプッシャ３９は下スライドドア１３の閉鎖状態でドアボタン１５が初期位置から押込み位置に操作されることに基づいて後退位置から前進位置に移動し、下スライドドア１３を閉鎖状態から前方へ移動操作する。
【００２１】
制御回路４０には、図４に示すように、マイクロコンピュータを主体に構成されたインバータ制御回路４４が接続されている。このインバータ制御回路４４はＣＰＵとＲＯＭとＲＡＭを有するものであり、制御回路４０はインバータ制御回路４４にコンプモータ２８の運転指令を送信する。このインバータ制御回路４４にはインバータ駆動回路４５が接続されている。このインバータ駆動回路４５はコンプモータ２８に駆動電源を印加するものであり、インバータ制御回路４４はインバータ駆動回路４５を運転指令の受信結果に応じた内容で制御することに基づいてコンプモータ２８を運転指令の受信結果に応じた可変的な速度で回転操作する。このコンプモータ２８の速度制御は速度センサから出力される速度信号が目標速度に収束するように行われるものであり、コンプレッサ２７からエバポレータ２５にはコンプモータ２８の回転速度に応じた流量の冷媒が供給される。
【００２２】
制御回路４０には、図４に示すように、モータ駆動回路４６が接続されている。このモータ駆動回路４６はファンモータ２３に駆動電源を印加するものであり、制御回路４０はモータ駆動回路４６を駆動することに基づいてファンモータ２３を固定的な一定速度で回転操作し、ファン装置２２から下冷凍室１０内と製氷室１１内と上冷凍室１２内のそれぞれにファンモータ２３の回転速度に応じた流量の冷気を供給する。この制御回路４０には温度センサ４７が接続されている。この温度センサ４７は下冷凍室１０の庫内温度に応じた温度信号を出力するサーミスタからなるものであり、制御回路４０は温度センサ４７から出力される温度信号に基づいて下冷凍室１０の庫内温度を検出する。
【００２３】
制御回路４０のＲＯＭには制御プログラムが予め記録されており、制御回路４０のＣＰＵはドア操作装置３０のソレノイドコイル３３とファン装置２２のファンモータ２３とコンプレッサ２７のコンプモータ２８のそれぞれを制御プログラムに基づいて駆動制御する。図５は制御回路４０のＣＰＵが制御プログラムに基づいて実行するメイン処理を示すものであり、ＣＰＵは電源が投入されたときにはステップＳ１の初期化処理でＲＡＭの起動中フラグとドア停止待ちフラグと冷却中フラグとドア開放中フラグとコンプ起動停止待ちフラグとファン停止待ちフラグのそれぞれをオフし、ＲＡＭのタイマ１とタイマ２のそれぞれを「０」にリセットする。そして、ステップＳ２の冷却処理で温度センサ４７からの出力信号に基づいてコンプモータ２８を駆動制御し、ステップＳ３のドア開放処理でドア開放スイッチ４２からの出力信号に基づいてドア操作装置３０を駆動制御し、ステップＳ４のファン停止処理でドアスイッチ４１からの出力信号に基づいてファンモータ２３を駆動制御し、ステップＳ２の冷却処理に復帰する。
【００２４】
図６はステップＳ２の冷却処理の詳細を示すものであり、ＣＰＵはステップＳ１１でＲＡＭの起動中フラグがオンされているか否かを判断する。この起動中フラグはコンプモータ２８が予め決められた起動パターンに応じて運転されているか否かを示すものであり、起動パターンとはコンプモータ２８を運転停止状態から運転開始するための運転パターンを称する。
【００２５】
ＣＰＵはコンプモータ２８の運転停止状態ではステップＳ１１で起動中フラグがオフされていることを判断し、ステップＳ１２でＲＡＭのドア停止待ちフラグがオンされているか否かを判断する。このドア停止待ちフラグはドア操作装置３０のソレノイドコイル３３がオンされている下スライドドア１３の移動中にコンプモータ２８を起動することが判断されることに基づいてオンされるものであり、ＣＰＵはドア停止待ちフラグがオフされていることを判断したときにはステップＳ１３へ移行し、ＲＡＭの冷却中フラグがオフされているか否かを判断する。この冷却中フラグはコンプモータ２８が予め決められた通常パターンに応じて運転されているか否かを示すものであり、通常パターンとはコンプモータ２８を起動パターンに応じて運転した後に定常状態で継続的に運転するための冷却用の運転パターンを称する。
【００２６】
ＣＰＵはコンプモータ２８の運転停止状態ではステップＳ１３で冷却中フラグがオフされていることを判断し、ステップＳ１４で温度センサ４７からの出力信号に基づいて下冷凍室１０の庫内温度を検出し、庫内温度の検出結果をＲＯＭに予め決められた冷凍温度帯域の上限値と比較する。ここで「下冷凍室１０の庫内温度＞冷凍温度帯域の上限値」を判断したときにはステップＳ１５へ移行し、ＲＡＭのドア開放中フラグがオンされているか否かを判断する。このドア開放中フラグはドア操作装置３０のソレノイドコイル３３がオンされている下スライドドア１３の移動状態でオンされるものであり、ＣＰＵはステップＳ１５でドア開放中フラグがオフされていることを判断したときにはステップＳ１６へ移行し、インバータ制御回路４４に起動信号に相当する起動指令を送信する。そして、ステップＳ１７でファンモータ２３をオンし、ステップＳ１８で起動中フラグをオンし、ステップＳ１９でドア停止待ちフラグをオフする。
【００２７】
インバータ制御回路４４は制御回路４０からの起動指令を受信すると、コンプモータ２８を予め決められた起動パターンで運転開始する。この起動パターンは、図７の（ａ）に示すように、コンプモータ２８を予め決められた加速度Ａｓで起動した後に予め決められた安定速度Ｒｃで定速回転させるものであり、インバータ制御回路４４はコンプモータ２８の回転速度が安定速度Ｒｃに到達してから予め決められた時間Ｔｃ（例えば３０秒）が経過したことを判断したときには制御回路４０に起動終了信号を送信する。
【００２８】
ＣＰＵは図６のステップＳ１５でドア開放中フラグがオンされていることを判断すると、ステップＳ２４でドア停止待ちフラグをオンする。即ち、ドア停止待ちフラグはコンプモータ２８の運転停止状態でコンプモータ２８を起動することが判断されたときにソレノイドコイル３３が通電中である場合にオンされるものであり、ＣＰＵはドア停止待ちフラグのオン状態ではステップＳ１１で起動中フラグがオフされていることを判断し、ステップＳ１２でドア停止待ちフラグがオンされていることを判断し、ステップＳ１５でドア開放中フラグがオンされているか否かを判断する。このドア開放中フラグはソレノイドコイル３３が通電停止されることに基づいてオフされるものであり、ＣＰＵはソレノイドコイル３３が通電停止されたときにはステップＳ１５でドア開放中フラグがオフされていることを判断し、ステップＳ１６でインバータ制御回路４４に起動指令を送信することに基づいてコンプモータ２８を起動パターンで起動する。そして、ステップＳ１７でファンモータ２３をオンし、ステップＳ１８で起動中フラグをオンし、ステップＳ１９でドア停止待ちフラグをオフする。
【００２９】
ＣＰＵはコンプモータ２８が起動パターンに応じて運転されている状態ではステップＳ１１で起動中フラグがオンされていることを判断し、ステップＳ２０で起動終了信号が有るか否かを判断する。ここでインバータ制御回路４４から制御回路４０に起動終了信号が送信されたときにはＣＰＵはステップＳ２０で起動終了信号が有ることを判断し、ステップＳ２１で起動中フラグをオフする。そして、ステップＳ２２でインバータ制御回路４４に通常運転指令を送信し、ステップＳ２３で冷却中フラグをオンする。このインバータ制御回路４４は制御回路４０からの通常運転指令を受信すると、コンプモータ２８の運転パターンを起動パターンから予め決められた通常パターンに変更する。この通常パターンは、図７の（ａ）に示すように、コンプモータ２８を安定速度Ｒｃから予め決められた加速度Ａｏで加速した後に予め決められた定常速度Ｒｏで継続的に定速回転させるものであり、コンプモータ２８が定常速度Ｒｏで運転されている状態ではファン装置２２から下冷凍室１０内に冷気が供給されることに基づいて下冷凍室１０の庫内温度が低下する。
【００３０】
ＣＰＵはコンプモータ２８が定常速度Ｒｏで運転されている状態では図６のステップＳ１１で起動中フラグがオフされていることを判断し、ステップＳ１２でドア停止待ちフラグがオフされていることを判断し、ステップＳ１３で冷却中フラグがオンされていることを判断する。そして、ステップＳ２５で温度センサ４７からの出力信号に基づいて下冷凍室１０の庫内温度を検出し、庫内温度の検出結果をＲＯＭに予め決められた冷凍温度帯域の下限値と比較する。ここで「下冷凍室１０の庫内温度＜冷凍温度帯域の下限値」を判断したときにはステップＳ２６へ移行し、インバータ制御回路４４に運転停止指令を送信する。そして、ステップＳ２７でファンモータ２３をオフし、ステップＳ２８で冷却中フラグをオフする。このインバータ制御回路４４は制御回路４０からの運転停止指令を受信したときにはコンプモータ２８をオフし、コンプレッサ２７を運転停止状態にする。
【００３１】
図８はステップＳ３のドア開放処理の詳細を示すものであり、ＣＰＵはステップＳ３１でＲＡＭのコンプ起動停止待ちフラグがオンされているか否かを判断する。このコンプ起動停止待ちフラグはコンプモータ２８が起動パターンで運転されている運転中にドア開放スイッチ４２が有効に操作されることに基づいてオンされるものであり、ＣＰＵはステップＳ３１でコンプ起動停止待ちフラグがオフされていることを判断したときにはステップＳ３２へ移行し、ドア開放中フラグがオンされているか否かを判断する。
【００３２】
ＣＰＵはソレノイドコイル３３のオフ状態ではステップＳ３２でドア開放中フラグがオフされていることを判断し、ステップＳ３３でドア開放スイッチ４２がオンされているか否かを判断する。ここでドア開放スイッチ４２がオンされていることを判断したときにはステップＳ３４へ移行し、ドアスイッチ４１がオンされているか否かを判断する。例えば使用者が下スライドドア１３の閉鎖状態でドアボタン１５を初期位置から押込み位置に操作したときにはＣＰＵはステップＳ３４でドアスイッチ４１がオンされていることを判断し、ステップＳ３５へ移行する。
【００３３】
ＣＰＵはステップＳ３５へ移行すると、起動中フラグがオンされているか否かを判断する。例えばコンプモータ２８が通常パターンに応じて運転されている状態および運転停止している状態のそれぞれではＣＰＵはステップＳ３５で起動中フラグがオフされていることを判断し、ステップＳ３６でソレノイド駆動回路４３に対する通電信号の出力を開始する。この通電信号はソレノイドコイル３３を予め決められた一定レベルの電圧で駆動するものであり、ドア操作信号に相当する。
【００３４】
ＣＰＵはステップＳ３６で通電信号の出力を開始すると、ステップＳ３７でタイマ１を初期値「０」にリセットし、ステップＳ３８でドア開放中フラグをオンし、ステップＳ３９でコンプ起動停止待ちフラグをオフする。即ち、使用者がコンプモータ２８の通常運転状態および運転停止状態のそれぞれでドアボタン１５を操作したときには下スライドドア１３が閉鎖状態にあることを条件にソレノイドコイル３３が通電開始され、下スライドドア１３がドア操作装置３０によって閉鎖状態から前方へ操作される。
【００３５】
ＣＰＵはステップＳ３５で起動中フラグがオンされていることを判断すると、ステップＳ４０でコンプ起動停止待ちフラグをオンする。即ち、コンプモータ２８が起動パターンに応じて運転されている起動中にドアボタン１５が操作されたときには下スライドドア１３が閉鎖状態にあることを条件にコンプ起動待ちフラグがオンされ、ソレノイドコイル３３が通電開始されない。このコンプ起動停止待ちフラグのオン状態ではＣＰＵはステップＳ３１からステップＳ３５へ移行し、起動中フラグがオンされているか否かを判断する。この起動中フラグはコンプモータ２８の起動パターンに応じた運転が終了することに基づいてオフされるものであり（図６のステップＳ２１参照）、ＣＰＵはコンプモータ２８の起動パターンに応じた運転が終了したときには図８のステップＳ３５で起動中フラグがオフされていることを判断する。そして、ステップＳ３６でソレノイドコイル３３を通電開始し、ステップＳ３７でタイマ１をリセットし、ステップＳ３８でドア開放中フラグをオンし、ステップＳ３９でコンプ起動停止待ちフラグをオフする。
【００３６】
ＣＰＵはソレノイドコイル３３の通電状態ではステップＳ３１でコンプ起動停止待ちフラグのオフを判断し、ステップＳ３２でドア開放中フラグのオンを判断し、ステップＳ４１でタイマ１をＲＯＭに予め記録された断電時間（例えば０．５秒）と比較する。タイマ１はＣＰＵが一定の時間間隔でタイマ割込み処理を起動し、タイマ割込み処理を起動する毎に一定の単位値を加算することに基づいて計測するものであり、断電時間はドア操作装置３０のプランジャ３４が後退位置から前進位置に到達するのに要する時間に余裕値を加えることから設定されている。
【００３７】
ＣＰＵはステップＳ４１で「タイマ１＝断電時間」を判断すると、ステップＳ４２で通電信号の出力を停止することに基づいてソレノイドコイル３３を断電し、ステップＳ４３でドア開放中フラグをオフする。そして、ステップＳ４４で冷却中フラグがオンされているか否かを判断し、ステップＳ４５で起動中フラグがオンされているか否かを判断する。冷却中フラグはコンプモータ２８の通常運転状態でオンされるものであり、起動中フラグはコンプモータ２８の起動状態でオンされるものであり、冷却中フラグおよび起動中フラグのそれぞれがオフされたコンプモータ２８の運転停止状態ではファンモータ２３が運転停止状態にされている。このファンモータ２３の運転停止状態ではＣＰＵはステップＳ４４で冷却中フラグがオフされていることを判断し、ステップＳ４５で起動中フラグがオフされていることを判断し、ステップＳ４６でファンモータ２３をオンする。そして、ステップＳ４７でＲＡＭのファン停止待ちフラグをオンし、ステップＳ４８でタイマ２に初期値「０」をセットする。
【００３８】
即ち、ファン装置２２の運転停止状態でドア操作装置３０が下スライドドア１３を閉鎖状態から前方へ操作したときにはコンプレッサ２７の運転停止状態でファン装置２２が運転開始され、ファン装置２２の運転状態でドア操作装置３０が下スライドドア１３を閉鎖状態から前方へ操作したときにはファン装置２２が継続的に運転される。このファン装置２２の運転状態では空気が冷気ダクト１９の冷気入口２０を通して冷気ダクト１９内に進入し、冷気ダクト１９の複数の冷気出口２１のそれぞれから吐出される。
【００３９】
図９はステップＳ４のファン停止処理の詳細を示すものであり、ＣＰＵはステップＳ５１でファン停止待ちフラグがオンされているか否かを判断する。例えばドア操作装置３０を作動させることに基づいて下スライドドア１３を閉鎖状態から前方へ操作することに連動してファンモータ２３をオンしたときにはステップＳ５１でファン停止待ちフラグがオンされていることを判断し、ステップＳ５２でドアスイッチ４１がオンされているか否かを判断する。このステップＳ５２でドアスイッチ４１がオンされていないことを判断したときにはステップＳ５３へ移行し、タイマ２をＲＯＭに予め記録されたファン停止時間（例えば３０秒）と比較する。このタイマ２は図８のステップＳ４６でファンモータ２３をオンしたことを基準とする経過時間を計測するものであり、タイマ割込み処理を起動する毎に一定の単位値を加算することに基づいてタイマ１と共に計測される。
【００４０】
ＣＰＵはステップＳ５２でドアスイッチ４１がオンされていることを判断した場合およびステップＳ５３で「タイマ２＝ファン停止時間」であることを判断した場合のそれぞれにはステップＳ５４へ移行し、ファンモータ２３を運転停止する。そして、ステップＳ５５へ移行し、ファン停止待ちフラグをオフする。即ち、ドア操作装置３０が下スライドドア１３を閉鎖状態から前方へ操作することに連動してファン装置２２が強制的に運転開始されたときには使用者が下スライドドア１３を閉鎖状態に操作またはファン装置２２の運転開始からファン停止時間が経過することに基づいてファン装置２２が運転停止する。
【００４１】
上記実施例１によれば次の効果を奏する。
ドア操作装置３０の電磁ソレノイド３１が通電信号に応じて運転されている運転中にコンプレッサ２７を運転開始することが判断されたときにはドア操作装置３０の電磁ソレノイド３１が運転停止することを待ってインバータ制御回路４４に起動指令を出力し、コンプモータ２８が電磁ソレノイド３１の運転中に起動指令に応じて運転開始されることを禁止した。このコンプモータ２８の運転開始時にはコンプレッサ２７の底面に溜まった潤滑油をコンプレッサ２７の内部に循環させる必要があり、高い電圧を一定期間にわたって安定的に維持する必要がある。このコンプモータ２８の運転開始が電圧降下の発生状態で行われることがなくなるので、コンプモータ２８をドア操作装置３０の運転状態に影響されることなく安定的に運転開始することができる。
【００４２】
コンプモータ２８が起動指令に応じて運転されている運転中にドア操作装置３０を運転開始することが判断されたときにはコンプモータ２８の起動指令に応じた運転が終了することを待ってソレノイド駆動回路４３に通電信号を出力し、ドア操作装置３０の電磁ソレノイド３１がコンプモータ２８の起動指令に応じた運転中に運転開始されることを禁止した。この電磁ソレノイド３１の運転開始時には下スライドドア１３のガスケット１８を下冷凍室１０の室壁から吸着力に抗して剥がす必要があり、高い電流が必要になる。この電磁ソレノイド３１の運転開始が電圧降下の発生状態で行われることがなくなるので、ドア操作装置３０の電磁ソレノイド３１をコンプレッサ２７の運転状態に影響されることなく安定的に運転開始することができる。
【００４３】
ファン装置２２の運転停止状態でソレノイド駆動回路４３に通電信号を出力したときにはファンモータ２３をオンすることに基づいてファン装置２２を運転停止状態から運転状態にした。このため、下冷凍室１０の庫外の高温高湿な外気が下冷凍室１０内に進入することがファン装置２２の送風作用で抑えられるので、外気がドア操作装置３０の電磁ソレノイド３１で冷却されることに基づいて結露することが防止される。従って、下スライドドア１３が閉鎖状態に操作されることに基づいて外気がドア操作装置３０の電磁ソレノイド３１で氷結することが防止されるので、ドア操作装置３０が氷結することに基づいて動作不良を起こすことが防止される。
【００４４】
上記実施例１においては、左ドア４と右ドア５と左スライドドア１６と右スライドドア１７のいずれかをドア操作装置３０によって閉鎖状態から前方へ操作する構成としても良い。
【図面の簡単な説明】
【００４５】
【図１】実施例１を示す図（冷蔵庫の内部構成を示す断面図）
【図２】冷蔵庫の外観を示す図
【図３】ドア操作装置を示す断面図
【図４】電気的構成を示すブロック図
【図５】制御回路の処理内容を示すフローチャート（メイン処理）
【図６】制御回路の処理内容を示すフローチャート（冷却処理）
【図７】コンプモータとファンモータとソレノイドコイルの運転タイミングを示す図
【図８】制御回路の処理内容を示すフローチャート（ドア開放処理）
【図９】制御回路の処理内容を示すフローチャート（ファン停止処理）
【符号の説明】
【００４６】
１０は下冷凍室（貯蔵室）、１３は下スライドドア（ドア）、１５はドアボタン（操作子）、２２はファン装置、２３はファンモータ（駆動源）、２５はエバポレータ、２７はコンプレッサ、２８はコンプモータ（駆動源）、３０はドア操作装置、３１は電磁ソレノイド（駆動源）、４０は制御回路を示している。
【図１】
2009127955.tif 000003
【図２】
2009127955.tif 000004
【図３】
2009127955.tif 000005
【図４】
2009127955.tif 000006
【図５】
2009127955.tif 000007
【図６】
2009127955.tif 000008
【図７】
2009127955.tif 000009
【図８】
2009127955.tif 000010
【図９】
2009127955.tif 000011